(57)【要約】【課題】画像の中でホワイトバランス調整係数を決定するための領域の候補を提示するようにした電子カメラを提供する。【解決手段】電子スチルカメラは、半自動ホワイトバランスモード時に操作部材１５（半自動ホワイトバランス処理起動スイッチ）が操作されると、ホワイトバランス検出センサで検出される１６０の領域の中から無彩色領域を抽出し、抽出した領域を示すマーカを５つまでＬＣＤモニタ４０（図３）のスルー画像に重ねて表示する。５つのマーカのうち、選択しているマーカをブリンキング表示させる。操作部材１５（決定スイッチ）が操作されると、ホワイトバランス検出センサの選択マーカに対応する領域から適正露出で色信号データを取り込み、このデータを用いてホワイトバランス調整係数を決定する。決定したホワイトバランス調整係数によってホワイトバランス調整したスルー画像を、ＬＣＤモニタ４０に表示する。【選択図】図１
2004221637.tif 000002
【特許請求の範囲】
【請求項１】
被写体像を撮像して画像データを出力する撮像装置と、
前記画像データによる画像を表示する表示手段と、
画像の色を所定の色にするように色調整係数を決定する演算手段と、
前記表示手段に表示されている画像の中から前記色調整係数を決定するための領域を複数抽出する抽出手段と、
前記抽出手段によって抽出された領域を前記画像とともに前記表示手段に表示させる表示制御手段と、
前記表示手段に表示されている複数の領域から任意の領域を指定するための入力手段と、
前記入力手段から指定された領域の画像の色を所定の色にするように前記演算手段で決定された色調整係数を用いて、前記撮像装置から出力される画像データに対して色調整を行う色調整手段とを備えることを特徴とする電子カメラ。
【請求項２】
請求項１に記載の電子カメラにおいて、
前記演算手段は、前記複数の領域のそれぞれについて色調整係数を決定し、
前記色調整手段は、前記演算手段で決定された複数の色調整係数を用いて前記撮像装置から出力される画像データに対して複数の色調整を行うことを特徴とする電子カメラ。
【請求項３】
請求項１または２に記載の電子カメラにおいて、
前記撮像装置から出力される画像データの信号レベルを適正露出に調節する露出調節手段をさらに備え、
前記演算手段は、前記露出調節手段で前記適正露出に調節された信号による画像の色を所定の色にするように前記色調整係数を決定することを特徴とする電子カメラ。
【請求項４】
請求項１〜３のいずれかに記載の電子カメラにおいて、
前記演算手段は、色調整係数を補正することを特徴とする電子カメラ。
【請求項５】
被写体像を撮像して画像データを出力する撮像装置と、
前記画像データによる画像を表示する表示手段と、
画像の色を所定の色にするための色調整係数の決定に使用する領域を前記表示手段に表示されている画像の中から複数抽出する抽出手段と、
前記抽出手段によって抽出された領域を前記画像とともに前記表示手段に表示させる表示制御手段とを備えることを特徴とする電子カメラ。
【請求項６】
請求項５に記載の電子カメラにおいて、
前記表示制御手段は、前記複数の領域の優先度を示す表示を前記表示手段に表示させることを特徴とする電子カメラ。
【請求項７】
請求項１〜６のいずれかに記載の電子カメラにおいて、
前記抽出手段は、前記表示手段に表示されている画像を構成する色信号成分が所定の比率を有する領域を抽出することを特徴とする電子カメラ。
【発明の詳細な説明】
【０００１】
【発明の属する技術分野】
本発明は、撮像した画像を電子画像データとして記録する電子カメラに関する。
【０００２】
【従来の技術】
ＣＣＤイメージセンサなどを使用する電子カメラは、画像データに対して色調整を行うホワイトバランス調整が行われる。一般に、ホワイトバランス調整は、主要被写体および背景を含む画像の色彩情報を平均して無彩色とするように、ＲゲインやＢゲインなどのホワイトバランス調整係数が決定される。電子カメラの中には、特許文献１のように、画像の特定の領域の色彩情報を用いてホワイトバランス調整係数を決定するものも知られている。
【０００３】
【特許文献１】
特開２００２−２３８０５５号公報
【０００４】
【発明が解決しようとする課題】
特許文献１に記載の電子カメラでは、撮像した画像の中で特定領域を指定する操作を撮影者が行う必要があった。ホワイトバランス調整係数の決定に適した領域を画像の中から選ぶことは、画像に種々の色彩情報が混在する場合などに難しい。
【０００５】
本発明は、画像の中でホワイトバランス調整係数を決定するための領域の候補を撮影者に提示するようにした電子カメラを提供するものである。
【０００６】
【課題を解決するための手段】
請求項１に記載の発明による電子カメラは、被写体像を撮像して画像データを出力する撮像装置と、画像データによる画像を表示する表示手段と、画像の色を所定の色にするように色調整係数を決定する演算手段と、表示手段に表示されている画像の中から色調整係数を決定するための領域を複数抽出する抽出手段と、抽出手段によって抽出された領域を画像とともに表示手段に表示させる表示制御手段と、表示手段に表示されている複数の領域から任意の領域を指定するための入力手段と、入力手段から指定された領域の画像の色を所定の色にするように演算手段で決定された色調整係数を用いて、撮像装置から出力される画像データに対して色調整を行う色調整手段とを備えることを特徴とする。
上記演算手段は、複数の領域のそれぞれについて色調整係数を決定することもできる。上記色調整手段は、演算手段で決定された複数の色調整係数を用いて撮像装置から出力される画像データに対して複数の色調整を行うこともできる。
上記電子カメラはさらに、撮像装置から出力される画像データの信号レベルを適正露出に調節する露出調節手段を備えてもよい。この場合の演算手段は、露出調節手段で適正露出に調節された信号による画像の色を所定の色にするように色調整係数を決定することもできる。
上記演算手段は、色調整係数を補正することもできる。
請求項５に記載の発明による電子カメラは、被写体像を撮像して画像データを出力する撮像装置と、画像データによる画像を表示する表示手段と、画像の色を所定の色にするための色調整係数の決定に使用する領域を表示手段に表示されている画像の中から複数抽出する抽出手段と、抽出手段によって抽出された領域を画像とともに表示手段に表示させる表示制御手段とを備えることを特徴とする。上記表示制御手段は、複数の領域の優先度を示す表示を表示手段に表示させてもよい。
上記抽出手段は、表示手段に表示されている画像を構成する色信号成分が所定の比率を有する領域を抽出することもできる。
【０００７】
【発明の実施の形態】
以下、図面を参照して本発明の実施の形態を説明する。
図１は、本発明の一実施の形態による電子スチルカメラの概要を説明するブロック図である。図１において、電子スチルカメラは、ＣＣＤイメージセンサ１１と、画像処理回路１２と、バッファメモリ１３と、ＣＰＵ１４と、操作部材１５と、ホワイトバランス検出回路１６とを有する。ＣＣＤ１１の撮像面上には、不図示の撮影レンズを通過した被写体光による被写体像が結ばれる。
【０００８】
ＣＣＤ１１は、被写体像の明るさに応じて画素ごとに信号電荷を蓄積する。蓄積電荷は、不図示の駆動回路からＣＣＤ１１へ供給される駆動信号によってＣＣＤ１１から掃き出され、ＡＧＣ回路やＣＤＳ回路などを含むアナログ信号処理回路（不図示）でアナログ処理される。アナログ処理後の撮像信号は、Ａ／Ｄ変換回路（不図示）によってデジタル撮像信号に変換された後で画像処理回路１２へ導かれる。画像処理回路１２は、後述するホワイトバランス調整や、輪郭補償、ガンマ補正等の画像処理を行う。なお、ＣＣＤ１１の撮像面にはＲ色、Ｇ色およびＢ色の色フィルタが画素に対応して所定の配列（たとえば、ベイヤ配列）で配設されており、各色成分ごとに撮像信号が得られるように構成されている。
【０００９】
画像処理後の画像データは、バッファメモリ１３に格納される。バッファメモリ１３に格納された画像データは、表示用データに変換されて後述するＬＣＤモニタに表示されたり、データ圧縮処理後にフラッシュメモリカードなどの記録媒体（不図示）に記録されたりする。
【００１０】
ＣＰＵ１４は、画像処理回路１２に対する処理の指示や、バッファメモリ１３に対する読み出し／書き込み指示を行う。操作部材１５は、不図示のレリーズスイッチ、ならびに後述する半自動ホワイトバランス処理起動スイッチ、十字スイッチ、決定スイッチなどによって構成される。操作部材１５は、各スイッチによる操作信号をＣＰＵ１４へそれぞれ送出する。
【００１１】
ホワイトバランス検出回路１６は、被写体の色を検出するホワイトバランス検出センサと、ホワイトバランス検出センサから出力されるアナログ色信号をデジタル色信号に変換するＡ／Ｄ変換回路と、ホワイトバランス調整係数を生成する演算回路とを含む。ホワイトバランス検出回路１６は、ホワイトバランス検出センサで検出された色信号に基づいて、ホワイトバランス調整用のＲゲインとＢゲインとを決定する。決定したＲゲインおよびＢゲイン（ホワイトバランス調整係数）は、ＣＰＵ１４を介して画像処理回路１２へ送られる。
【００１２】
画像処理回路１２は、ホワイトバランス検出回路１６によって決定されたホワイトバランス調整係数を用いて、ＣＣＤ１１による画面全体の画像データに対してホワイトバランス調整を行う。具体的には、Ａ／Ｄ変換後のＲ色，Ｇ色およびＢ色に対応するデジタル撮像信号のうち、Ｒ色およびＢ色の撮像信号に対してホワイトバランス調整用のＲゲインおよびＢゲインをそれぞれかけ合わせる。これにより、ＣＣＤ１１から出力された撮像信号に対する色調整が行われる。
【００１３】
本実施の形態による電子スチルカメラは、オートホワイトバランスモードと、半自動ホワイトバランスモードとを有する。オートホワイトバランスモードと半自動ホワイトバランスモードとの切換えは、不図示のホワイトバランスモード切換えスイッチによって行われる。本発明は、半自動ホワイトバランスモードの動作に特徴を有する。
【００１４】
−オートホワイトバランスモード−
ホワイトバランス検出回路１６は、オートホワイトバランスモードでホワイトバランス調整係数を決定するとき、以下のようにホワイトバランス調整係数を決定する。図２は、ホワイトバランスセンサ１６１の構成例を示す図である。図２において、ホワイトバランス検出センサ１６１は、横４８列×縦１０行に分割された４８０個の画素を有する２次元撮像素子によって構成されている。ホワイトバランスセンサ１６１の表面には、４８０画素に対応してＲ色、Ｇ色およびＢ色のいずれかのフィルタが配設されたカラーフィルタが設けられている。被写体光がカラーフィルタを通してホワイトバランス検出センサ１６１で撮像されることにより、被写体光はＲ色信号、Ｇ色信号およびＢ色信号のいずれかに分解されて撮像される。ホワイトバランス検出センサ１６１から出力される色信号は、Ｒ、Ｇ、Ｂ各色の色信号をそれぞれ出力する３つの近接画素を１画素分として、たとえば、横１６列×縦１０行の１６０画素分の色信号として出力される。すなわち、ホワイトバランス検出センサ１６１は、その撮像面を１６０の領域に分割して色信号を出力する。
【００１５】
ホワイトバランス検出回路１６の演算回路は、上記１６０の領域のＲ、ＧおよびＢ各色の色信号をそれぞれ平均し、平均後のＲ信号、Ｇ信号およびＢ信号の比を１：１：１にするように、ホワイトバランス調整用のＲゲインとＢゲインとを決定する。このようにすることにより、画面全体を平均した色を、無彩色に近づけるようにホワイトバランス調整係数が決定される。
【００１６】
−半自動ホワイトバランスモード−
ホワイトバランス検出回路１６は、半自動ホワイトバランスモードでホワイトバランス調整係数を決定するとき、以下のようにホワイトバランス調整係数を決定する。図３は、電子スチルカメラの背面図である。図３において、電子スチルカメラの背面には、ＬＣＤモニタ４０と、半自動ホワイトバランス（ＷＢ）処理起動スイッチ４２と、決定（ＳＥＴ）スイッチ４３と、十字スイッチ４１とが設けられている。
【００１７】
半自動ホワイトバランス（ＷＢ）処理起動スイッチ４２は、操作に応じて半自動ホワイトバランスモードの処理を起動するための操作信号を出力する。決定（ＳＥＴ）スイッチ４３は、操作に応じてホワイトバランス調整係数の決定に使用する領域を決定するための操作信号を出力する。ホワイトバランス調整係数を決定するための領域については後述する。十字スイッチ４１は、操作に応じて複数の領域の中からホワイトバランス調整係数の決定に使用する領域を選択するための操作信号を出力する。十字スイッチ４１は、操作方向に応じて上下左右のそれぞれの向きを示す操作信号を出力するように構成されている。
【００１８】
図４は、半自動ホワイトバランスモード起動時にＬＣＤモニタ４０に表示されるスルー画像を示す図である。スルー画像は、レリーズ操作前にＣＣＤ１１によって撮像された撮像信号を、ＬＣＤモニタ４０の表示解像度に応じた所定の比率で間引いて読み出し、この読み出し信号による画像をＬＣＤモニタ４０に逐次表示させるようにしたものである。スルー画像の通常表示におけるホワイトバランス調整係数は、あらかじめ定められた所定値（デフォルト値）が用いられる。
【００１９】
ホワイトバランス検出回路１６の演算回路は、ホワイトバランス検出センサ１６１による１６０の領域の中から、Ｒ、ＧおよびＢ各色の色信号の比率が所定の範囲内の領域を抽出し、抽出した領域を示す信号をＣＰＵ１４へ送出する。抽出領域は、無彩色の被写体に対応するものである。
【００２０】
ＣＰＵ１４は、ホワイトバランス検出回路１６から入力された信号が示す抽出領域に対応するマーカを、スルー画像に重ねてＬＣＤモニタ４０に表示させる。重ね表示は、画像処理回路１２が撮像された画像データにマーカ用データを合成することによって行う。図４において、マーカ１、マーカ２およびマーカ３が表示されている。図４の例では、マーカ１が空に浮かぶ雲の領域を示す。マーカ２は水面で生じている反射の領域を示す。マーカ３は、マーカ１と異なる雲の領域を示す。ＣＰＵ１４は、初期値としてマーカ１の表示輝度を所定時間（たとえば、０．５秒）ごとに変えてブリンキング表示させる。
【００２１】
ＬＣＤモニタ４０にマーカが重ね表示されている状態で撮影者が十字スイッチ４１を操作すると、ＣＰＵ１４は、入力された操作信号に対応してブリンキング表示するマーカを変更する。たとえば、撮影者が十字スイッチ４１を右方向および上方向のいずれかに操作した場合にマーカ番号を１つ進め、十字スイッチ４１を左方向および下方向のいずれかに操作した場合にマーカ番号を１つ戻すようにする。
【００２２】
図４の例では、マーカ番号を含む四角領域をブリンキング表示している。ブリンキング表示する範囲は、マーカ１やマーカ３に対応する雲のようにマーカより広い領域の場合に、当該マーカを含む雲全体をブリンキング表示させてもよい。抽出領域に対応する被写体がマーカより小さい場合は、マーカ番号を含む四角領域を当該被写体の位置でブリンキング表示させる。
【００２３】
撮影者が決定（ＳＥＴ）スイッチ４３を操作すると、ＣＰＵ１４は、ブリンキング表示しているマーカの位置を示す信号をホワイトバランス検出回路１６に送り、当該マーカに対応する抽出領域を使用してホワイトバランス調整係数を決定するように指示する。
【００２４】
ホワイトバランス検出回路１６は、当該マーカに対応する抽出領域の色信号が所定の信号レベルになるように、すなわち、ホワイトバランス調整係数決定用の適正露出になるように、ホワイトバランス検出センサ１６１のゲインを調節する。ゲイン調節は、たとえば、信号レベルをフルスケール値（最大値）の１／２相当の値にするように調節する。ホワイトバランス検出回路１６の演算回路は、ゲイン調節後にホワイトバランス検出センサ１６１で検出される１６０の領域のうち、当該抽出領域に含まれるＲ、ＧおよびＢ各色の色信号をそれぞれ平均し、平均後のＲ信号、Ｇ信号およびＢ信号の比を１：１：１にするように、ホワイトバランス調整用のＲゲインとＢゲインとを決定する。これにより、抽出領域に関して平均した色を、より無彩色に近づけるようにホワイトバランス調整係数が演算される。
【００２５】
演算されたホワイトバランス調整係数は演算回路のメモリ（不図示）に記憶され、撮影者が決定（ＳＥＴ）スイッチ４３を再び操作すると、次コマ以降の撮影時のホワイトバランス調整係数として使用される。このように、半自動ホワイトバランスモード時には、半自動ホワイトバランス（ＷＢ）処理起動スイッチ４２が操作されるとホワイトバランス検出回路１６がホワイトバランス調整係数を新たに演算し、半自動ホワイトバランス（ＷＢ）処理起動スイッチ４２が操作されない場合は、ホワイトバランス検出回路１６内のメモリに記憶されているホワイトバランス調整係数を繰り返し使用する。
【００２６】
図５は、上述した半自動ホワイトバランスモードにおいて、ホワイトバランス検出回路１６の演算回路が行う処理の流れを説明するフローチャートである。図５のフローチャートは、電子スチルカメラが半自動ホワイトバランスモードにセットされている状態で、撮影者が半自動ホワイトバランス（ＷＢ）処理起動スイッチ４２を操作することにより、撮影準備処理として行われる。
【００２７】
図５のステップＳ１１において、演算回路は、ホワイトバランス調整係数を決定する処理を起動してステップＳ１２へ進む。この時点において、ＬＣＤモニタ４０にスルー画像が通常表示されている。ステップＳ１２において、演算回路は、ホワイトバランス検出センサ１６１で検出される１６０の領域の中で無彩色領域を抽出し、抽出した領域を示す信号をＣＰＵ１４へ送出してステップＳ１３へ進む。これにより、ＣＰＵ１４がＬＣＤモニタ４０のスルー画像に重ねてマーカを表示させる。ここで、演算回路が抽出する領域の数は、たとえば、５個までとし、Ｒ、ＧおよびＢ各色の色信号の比率が所定値に近いものから順に優先番号をつける。この番号が図４のマーカ番号に対応する。なお、隣接する領域間で各色の色信号の比率が合致している場合は、隣接する複数の領域の中で１つの領域（たとえば、最初に抽出した領域）を代表として抽出する。
【００２８】
ステップＳ１３において、演算回路は、マーカが選択・決定されたか否かを判定する。演算回路は、ブリンキング表示されているマーカ番号の位置を示す信号をＣＰＵ１４から入力すると、ステップＳ１３を肯定判定してステップＳ１４へ進む。演算回路は、マーカ番号の位置を示す信号がＣＰＵ１４から入力されない場合は、ステップＳ１３を否定判定して当該ステップＳ１３の判定処理を繰り返す。マーカの選択および決定は、１つのマーカだけでなく、複数のマーカについて選択・決定してもよい。
【００２９】
ステップＳ１４において、演算回路は、選択・決定されたマーカ番号に対応するホワイトバランス検出センサ１６１上の領域（抽出領域）について、ホワイトバランス調整係数決定用の適正露出になるようにホワイトバランス検出センサ１６１のゲインを調節する。演算回路はさらに、ホワイトバランス検出センサ１６１に色信号データの取り込みを指示してステップＳ１５へ進む。
【００３０】
ステップＳ１５において、演算回路は、選択・決定された全てのマーカ番号に対応する抽出領域について、それぞれ適正露出の状態で色信号のデータを取得したか否かを判定する。演算回路は、選択・決定された全てのマーカ番号に対応するデータを取得した場合にステップＳ１５を肯定判定してステップＳ１６へ進み、選択・決定された全てのマーカ番号に対応するデータを取得していない場合にステップＳ１５を否定判定し、ステップＳ１４へ戻る。なお、選択・決定された全てのマーカ番号に対応する抽出領域で適正露出が同一の場合は、１回の色信号データの取り込みで複数の抽出領域の色信号データを取得してよい。
【００３１】
ステップＳ１６において、演算回路は、マーカ番号１に対応する領域に含まれる色信号を用いてホワイトバランス調整用のＲゲインとＢゲインとを決定し、これらホワイトバランス調整係数を示す信号をＣＰＵ１４へ出力してステップＳ１７へ進む。これにより、ＣＰＵ１４が画像処理回路１２へスルー画像に対するホワイトバランス調整を指示することにより、マーカ番号１に対応する領域を用いて決定されたホワイトバランス調整係数（ＷＢ値）によってホワイトバランス調整されたスルー画像が、通常のスルー画像に代えてＬＣＤモニタ４０に表示される。
【００３２】
ステップＳ１７において、演算回路は、他のマーカ番号に対応する領域に含まれる色信号から決定されたホワイトバランス調整係数（ＷＢ値）を適用するか否かを判定する。たとえば、撮影者が十字スイッチ４１を右向き操作することによってＣＰＵ１４がマーカ番号２の領域を示す信号をホワイトバランス検出回路１６へ送出すると、演算回路は、ステップＳ１７を肯定判定してステップＳ１６へ戻る。この結果、演算回路は、マーカ番号２に対応する領域に含まれる色信号を用いてホワイトバランス調整用のＲゲインとＢゲインとを決定し、これらホワイトバランス調整係数を示す信号をＣＰＵ１４へ出力する。この場合には、マーカ番号２に対応する領域を用いて決定されたホワイトバランス調整係数によってホワイトバランス調整されたスルー画像が、ＬＣＤモニタ４０に表示される。
【００３３】
一方、ステップＳ１７において、演算回路は、撮影者が十字スイッチ４１を操作しない場合にステップＳ１７を否定判定し、ステップＳ１８へ進む。ステップＳ１８において、演算回路は、スルー画像表示に適用している現在のホワイトバランス調整係数（ＷＢ値）に決定するか否かを判定する。撮影者が決定（ＳＥＴ）スイッチ４３を操作することによってＣＰＵ１４がホワイトバランス調整係数の決定を示す信号をＣＰＵ１４へ出力すると、演算回路は、ステップＳ１８を肯定判定して図５による処理を終了する。この場合には、スルー画像表示に適用しているホワイトバランス調整係数が演算回路内のメモリに記憶され、次コマ以降の撮影時のホワイトバランス調整係数として使用される。
【００３４】
一方、ステップＳ１８において、演算回路は、撮影者が決定（ＳＥＴ）スイッチ４３を操作しない場合にステップＳ１８を否定判定し、ステップＳ１７へ戻る。
【００３５】
本実施の形態の特徴についてまとめる。  
（１）電子スチルカメラが半自動ホワイトバランスモード時にホワイトバランス処理起動スイッチ４２が操作されると、ホワイトバランス検出センサ１６１で検出される１６０の領域の中から無彩色領域を抽出し、抽出した領域を示すマーカを５つまでＬＣＤモニタ４０のスルー画像に重ねて表示するようにした。マーカによってホワイトバランス調整係数の決定処理に使用する領域の候補を示すので、領域の候補が画像のどこに位置するかを撮影者にわかりやすく示せる上に、電子スチルカメラが自動的に候補を表示するので、撮影者自身が画像の中から無彩色領域を探す必要がない。
【００３６】
（２）マーカ（候補）の数を５つまで表示するようにしたので、表示するマーカの数が多すぎてＬＣＤモニタ４０の表示が複雑になることがない。
【００３７】
（３）５つのマーカ（候補）のうち、選択しているマーカをブリンキング表示させるので、どのマーカを選択しているかを撮影者にわかりやすく示すことができる。
【００３８】
（４）上記（３）の状態で決定（ＳＥＴ）スイッチ４３が操作されると、電子スチルカメラは、まず選択されているマーカに対応するホワイトバランス検出センサ１６１の領域（抽出領域）について、ホワイトバランス調整係数決定用の適正露出になるようにホワイトバランス検出センサ１６１のゲインを調節する。その後、ホワイトバランス検出センサ１６１から色信号データを取り込むようにした。これにより、無彩色を示す色信号が露出オーバーで白となったり、露出不足で黒となったりすることなくグレーの信号として扱うことができる。この結果、グレーの色をより無彩色に近づけるように、厳密にホワイトバランス調整係数（ＷＢ値）を決定することができる。
【００３９】
（５）決定したホワイトバランス調整係数（ＷＢ値）によってホワイトバランス調整したスルー画像をＬＣＤモニタ４０に表示するようにしたので、撮影者がスルー画像を見てホワイトバランス調整結果を確認することができる。
【００４０】
（６）撮影前のスルー画像を用いて上記（１）〜（５）の処理を行うようにしたので、記録媒体に画像を記録する必要がなく、ホワイトバランス調整係数の決定のために記録媒体の記録領域を消費することもない。
【００４１】
以上の説明では、ホワイトバランス検出回路１６の中にホワイトバランス検出センサ１６１を設けるようにしたが、ＣＣＤ１１による撮像信号を色信号として利用するようにしてもよい。この場合には、ホワイトバランスセンサ１６１を省略することができる。
【００４２】
ホワイトバランス検出センサ１６１で検出される１６０の領域の中から抽出した領域について、Ｒ、ＧおよびＢ各色の色信号の比率が所定値に近いものから順にマーカ番号を記して優先順位を示すようにした。この代わりに、１つずつ順番にマーカを表示するようにしてもよい。この場合には、十字スイッチ４１による操作信号に応じて表示するマーカを順番に切り換え、優先順位にしたがってマーカを１つずつ表示する。
【００４３】
上述したホワイトバランス検出回路１６の演算回路は、グレーの色をより無彩色に近づけるようにホワイトバランス調整係数（ＷＢ値）を決定する。ホワイトバランス調整係数（ＷＢ値）を決定する際に、赤み補正や青み補正を行うようにしてもよい。たとえば、撮影者が不図示の補正ボタンを押しながら十字スイッチ４１を右操作すると、演算回路が青み補正を行い、撮影者が不図示の補正ボタンを押しながら十字スイッチ４１を左操作すると、演算回路が赤み補正を行う。これにより、ホワイトバランス調整係数決定用の領域（抽出領域）が赤みがかったグレーであったり、青みがかったグレーである場合にも、赤みや青みを補正して厳密にホワイトバランス調整係数（ＷＢ値）を決定することができる。
【００４４】
以上の説明では、レリーズ前にスルー画像を表示する一眼レフタイプでない電子スチルカメラを例にあげて説明したが、一眼レフタイプの電子スチルカメラに本発明を適用してもよい。この場合には、レリーズ操作前に半自動ホワイトバランス処理起動スイッチが操作されると、電子スチルカメラがミラーアップさせてスルー画に相当する画像データを取得する。取得する画像データは、ホワイトバランス調整係数の決定処理に使用する領域の抽出や、ホワイトバランス調整係数の決定処理に使用し、記録媒体への記録は行わない。ホワイトバランス調整係数決定後にレリーズ操作されると、電子スチルカメラがミラーアップさせて本画像に相当する画像データを取得する。取得した画像データは、決定されているホワイトバランス調整係数を用いてホワイトバランス調整され、記録媒体へ記録される。
【００４５】
特許請求の範囲における各構成要素と、発明の実施の形態における各構成要素との対応について説明する。撮像装置は、たとえば、ＣＣＤ１１（ホワイトバランス検出センサ）によって構成される。表示手段は、たとえば、ＬＣＤモニタ４０によって構成される。色調整係数は、たとえば、ホワイトバランス調整係数が対応する。演算手段、抽出手段および露出調節手段は、たとえば、ホワイトバランス検出回路１６によって構成される。表示制御手段は、たとえば、ＣＰＵ１４によって構成される。入力手段は、たとえば、操作部材１５によって構成される。色調整手段は、たとえば、画像処理回路１２によって構成される。優先度を示す表示は、たとえば、マーカ番号が対応する。なお、本発明の特徴的な機能を損なわない限り、各構成要素は上記構成に限定されるものではない。
【００４６】
【発明の効果】
本発明によれば、表示手段に表示されている画像の中から色調整係数を決定するための領域を複数抽出して画像とともに表示するようにしたので、たとえば、ホワイトバランス調整係数などを決定するための領域の候補を撮影者に提示することが可能になる。
【図面の簡単な説明】
【図１】本発明の一実施の形態による電子スチルカメラの概要を説明するブロック図である。
【図２】ホワイトバランスセンサの構成例を示す図である。
【図３】電子スチルカメラの背面図である。
【図４】半自動ホワイトバランスモード起動時にＬＣＤモニタに表示されるスルー画像を示す図である。
【図５】半自動ホワイトバランスモードで演算回路が行う処理の流れを説明するフローチャートである。
【符号の説明】
１１…ＣＣＤ、                      １２…画像処理回路、
１３…バッファメモリ、              １４…ＣＰＵ、
１５…操作部材、                    １６…ホワイトバランス検出回路、
４０…ＬＣＤモニタ
【図１】
2004221637.tif 000003
【図２】
2004221637.tif 000004
【図３】
2004221637.tif 000005
【図４】
2004221637.tif 000006
【図５】
2004221637.tif 000007